(57)【特許請求の範囲】
【請求項１】
粒状物を所定量毎に繰出す繰出し装置であり、
目皿が回転して下方部材の繰出し口の上方に前記目皿の目皿孔が位置すると、前記目皿の目皿孔と前記下方部材の繰出し口とが連通して、前記目皿の目皿孔に溜まった前記粒状物を、前記下方部材の繰出し口から落下させるように構成し、
前記目皿は、第一貫通孔を有する第一目皿と、前記第一目皿の第一貫通孔に嵌挿可能に形成される突出部と、該突出部を貫通するように形成される第二貫通孔とを有する第二目皿とで構成され、
前記第一目皿の第一貫通孔に、前記第二目皿の突出部が嵌挿された状態で、両目皿を上下に配置し、
第一目皿と第二目皿との上下の間隔を変更して、前記第一目皿の第一貫通孔と、前記第二目皿の第二貫通孔とで構成される、前記目皿の目皿孔の容積を増減可能に構成し、
下側の目皿の下面には、上面が当接するが該目皿の回転には追従しない下方部材を設け、
該下方部材の下面には、該下方部材を下方から上方へ付勢する押え部材を当接させ、
該押え部材は、更に下方に配置された押え部材軸を回動することによって上下動され、該押え部材と下方部材と下側の目皿を共に上下動させ、
前記目皿孔を軸心方向に伸縮させて、該目皿孔の容積を増減可能に構成した
ことを特徴とする繰出し装置。
【請求項２】
請求項１記載の繰出し装置において、前記播種装置を構成する複数台の繰出し装置のうち、隣合う繰出し装置の押え部材軸同士を連結して一体的に操作可能とし、前記目皿孔の容積を増減可能としたことを特徴とする繰出し装置。
【発明の詳細な説明】
【技術分野】
【０００１】
本発明は、粒状物を所定量毎に繰出す繰出し装置の技術に関する。
【背景技術】
【０００２】
従来、粒状物を所定量毎に繰出す繰出し装置の技術は種々知られている。このような繰出し装置には、粒状物である種子を播く播種装置に備えられて、当該粒状物である種子を所定量毎に繰出すものが公知となっている（特許文献１参照）。
【０００３】
また、このような繰出し装置には、目皿が回転して下方部材の繰出し口の上方に目皿の目皿孔が位置すると目皿の目皿孔と前記下方部材の繰出し口とが連通して前記目皿の目皿孔に溜まった粒状物を下方部材の繰出し口から繰出すように構成されるものがある。そして、このような繰出し装置では、これによって繰出される粒状物の量を増加させる場合には、目皿の回転速度を早くすることによっておこなう。また、繰出し装置によって繰出される粒状物の量を減少させる場合には、目皿の回転速度を遅くすることによっておこなう。
【先行技術文献】
【特許文献】
【０００４】
【特許文献１】特開２００１−２５１９０９号公報
【発明の概要】
【発明が解決しようとする課題】
【０００５】
しかしながら、このような繰出し装置では、繰出し単位毎の粒状物の量を増加させる場合において、目皿の回転速度が速すぎると粒状物が連続して目皿孔から落下するようになり、粒状物を繰出す間隔が所望のものよりも短くなって繰出された粒状物が筋状になる（所定量毎に粒状物を繰出せない）という問題があった。また、前記繰出し単位毎の粒状物の量を減少させる場合において、目皿の回転速度が遅すぎると、粒状物を繰出す間隔が所望のものよりも長くなってしまうという問題があった。
【０００６】
本発明は、以上の如き状況に鑑みてなされたものであり、繰出される粒状物の量を増減させても、より確実に粒状物を所定量毎に繰出すことができる繰出し装置を提供することを課題とする。
【課題を解決するための手段】
【０００７】
本発明の解決しようとする課題は以上の如くであり、次にこの課題を解決するための手段を説明する。
【０００８】
請求項１においては、粒状物を所定量毎に繰出す繰出し装置であり、目皿が回転して下方部材の繰出し口の上方に前記目皿の目皿孔が位置すると、前記目皿の目皿孔と前記下方部材の繰出し口とが連通して、前記目皿の目皿孔に溜まった前記粒状物を、前記下方部材の繰出し口から落下させるように構成し、前記目皿は、第一貫通孔を有する第一目皿と、前記第一目皿の第一貫通孔に嵌挿可能に形成される突出部と、該突出部を貫通するように形成される第二貫通孔とを有する第二目皿とで構成され、前記第一目皿の第一貫通孔に、前記第二目皿の突出部が嵌挿された状態で、両目皿を上下に配置し、第一目皿と第二目皿との上下の間隔を変更して、前記第一目皿の第一貫通孔と、前記第二目皿の第二貫通孔とで構成される、前記目皿の目皿孔の容積を増減可能に構成し、下側の目皿の下面には、上面が当接するが該目皿の回転には追従しない下方部材を設け、該下方部材の下面には、該下方部材を下方から上方へ付勢する押え部材を当接させ、該押え部材は、更に下方に配置された押え部材軸を回動することによって上下動され、該押え部材と下方部材と下側の目皿を共に上下動させ、前記目皿孔を軸心方向に伸縮させて、該目皿孔の容積を増減可能に構成したものである。
【０００９】
請求項２においては、請求項１記載の繰出し装置において、前記播種装置を構成する複数台の繰出し装置のうち、隣合う繰出し装置の押え部材軸同士を連結して一体的に操作可能とし、前記目皿孔の容積を増減可能としたものである。
【発明の効果】
【００１０】
本発明の効果として、以下に示すような効果を奏する。
【００１１】
即ち、請求項１に係る発明によれば、繰出し装置によって繰出される粒状物の量を増減させても、粒状物を繰出す間隔にほとんどが影響なく、より確実に粒状物を所定量毎に繰出すことができる。
【００１２】
請求項２に係る発明によれば、一体的に構成された押え部材軸を回転させることによって複数台の繰出し装置の押え部材を同時に回動させ、複数台の繰出し装置の第二目皿および下方部材の上下方向への移動の操作を同時におこなうことができるので、播種装置の繰出し装置の複数個の目皿の目皿孔の容積を増減させる操作を同時におこなうことができ、目皿の目皿孔の容積を増減させる操作が容易となるのである。
【図面の簡単な説明】
【００１３】
【図１】本発明の実施形態に係る繰出し装置を備える湛水直播機が装着された走行機体の全体的な構成を示した側面図。
【図２】本発明の実施形態に係る繰出し装置を備える湛水直播機を示した背面図。
【図３】本発明の実施形態に係る繰出し装置を示した側面断面図。
【図４】本発明の実施形態に係る繰出し装置の内部構造を示した分解図。
【図５】本発明の実施形態に係る繰出し装置を示した側面断面図。
【図６】本発明の実施形態に係る繰出し装置を備える湛水直播機を示した背面図。
【図７】本発明の実施形態に係る繰出し装置を示した側面断面図。
【図８】本発明の実施形態に係る繰出し装置の内部構造を示した平面模式図。
【発明を実施するための形態】
【００１４】
次に、本発明の実施形態に係る繰出し装置５０について、図１から図６を用いて説明する。
【００１５】
繰出し装置５０は、粒状物を所定毎に繰出すものである。繰出し装置５０には、粒状の薬剤を所定量毎に繰出すものがある。このように粒状の薬剤を所定量毎に繰出す繰出し装置５０は、例えば、後述する薬剤散布装置１６に備えられる。また、繰出し装置５０には、粒状の種子を所定量毎に繰出すものがある。このように粒状の種子を所定量毎に繰出す繰出し装置５０は、例えば、後述する播種装置４０に備えられる。以下において、繰出し装置５０が繰出す粒状物は、粒状の種子であるものとし、繰出し装置５０は、播種装置４０に備えられて当該種子を所定量毎に繰出すものとして説明する。
【００１６】
繰出し装置５０を備える播種装置４０（湛水直播機１９）が装着された走行機体１の全体的な構成について、図１を用いて説明する。走行機体１は、図１に示すように、走行部１０と昇降リンク機構２０とを具備し、走行機体１の後部に昇降リンク機構２０を介して、湛水直播機１９が装着される。また、走行機体１における走行部１０の後部上には、施肥機１７が搭載され、湛水直播機１９の後部上に薬剤散布装置１６が搭載される。
【００１７】
走行機体１の走行部１０では、エンジン２が機体の前部に設けられて、ボンネット４により被覆される。ミッションケースが機体の前部に支持されて、エンジン２の後下方に配置される。
【００１８】
フロントアクスルケース５が機体の前部に支持され、前車輪６が当該フロントアクスルケース５の左右両側に支承される。リアアクスルケース７が機体の後部に支持され、後車輪８が当該リアアクスルケース７の左右両側に支承される。
【００１９】
そして、エンジン２の動力が前記ミッションケースを介して左右の前車輪６と左右の後車輪８とにそれぞれ伝達されて、これらの前車輪６および後車輪８が回転駆動するように構成される。これにより、走行機体１が前進又は後進走行可能とされる。
【００２０】
走行部１０において、機体の前後中途部に運転操作装置１１が設けられる。運転操作装置１１の前部には、操向操作用の環状の操向ハンドル１２、各種操作ペダル１３、ダッシュボード１４などが配置される。運転操作装置１１の後部には、運転席１５が操向ハンドル１２の後方に位置するように配置される。
【００２１】
ダッシュボード１４の上には、操向ハンドル１２に加えて、各種の操作具や表示装置が配置される。これらの操作具、操向ハンドル１２、各種操作ペダル１３等によって、走行部１０等の操作をおこなうことが可能とされる。
【００２２】
機体の後部には、昇降リンク機構２０が具備される。昇降リンク機構２０は、左右一対の上リンク２１・２１、左右一対の下リンク２２・２２、回転アーム２５、及び油圧シリンダ２６等を備える。
【００２３】
一対の上リンク２１・２１は、左右方向に間隔を空けて相互に平行に設けられる。上リンク２１・２１の一端部（前端部）は、軸部材２３を支点として上下方向に回転可能に機体後部に支持される。上リンク２１・２１の他端部（後端部）は、湛水直播機１９の前端に取付けられる。一対の下リンク２２・２２は、左右方向に間隔を空けて相互に平行に設けられる。下リンク２２・２２の一端部（前端部）は、軸部材２４を支点として上下方向に回転可能に機体後部に支持される。下リンク２２・２２の他端部（後端部）は、湛水直播機１９の前端に取付けられる。
【００２４】
回転アーム２５は棒状の部材であり、その一端部（下端部）は下リンク２２・２２の間に固定される。油圧シリンダ２６は、機体後部に装着される湛水直播機１９を昇降させるためのアクチュエータである。油圧シリンダ２６の一端部は、回転アーム２５の他端部（上端部）に連結される。油圧シリンダ２６の他端部は、機体に連結される。そして、走行機体１は、油圧シリンダ２６を伸縮させることにより、回転アーム２５、上リンク２１・２１、および、下リンク２２・２２、を回動させて、湛水直播機１９を昇降させるように構成される。
【００２５】
湛水直播機１９は、水を湛えた状態の水田に水稲の種子を直接播くものであり、播種フレーム、播種フレームに取付けられるフロート１８、マーカー２７、および、播種装置４０等を備える。湛水直播機１９のフロート１８は、センターフロートとサイドフロート等からなり、播種装置４０が泥中に沈まないように支持する。湛水直播機１９のマーカー２７は、播種フレームの左右両側に上下回動可能に支持され、枕地で回行して次の条の播種をおこなう時の目印を田面上に付けるためのものである。湛水直播機１９の播種装置４０は、左右方向に複数台並べて配置される。湛水直播機１９の播種装置４０は、粒状の種子を播くものであり、図２に示すように、粒状の種子（粒状物）が収容される種子ホッパ４１と、種子ホッパ４１に収納される当該種子を繰出す繰出し装置５０と、を備える。播種装置４０は、種子ホッパ４１の下端に繰出し装置５０が配置され、繰出し装置５０の下端に筒体４２が設けられて、繰出し装置５０によって繰出された種子を筒体４２の下端の開口から排出して、種子を播くように構成される。
【００２６】
播種装置４０の繰出し装置５０は、種子を点播するように所定量毎に繰出す装置であり、左右方向に条数分複数台（例えば、８台）並べて配置される。播種装置４０の繰出し装置５０は、図３または図４に示すように、ケース５１と、目皿駆動軸５２と、環状部材５３と、目皿６０と、下方部材５５と、を備える。
【００２７】
播種装置４０における繰出し装置５０のケース５１は、主として上ケース５１ａと下ケース５１ｂとで構成され、上ケース５１ａと下ケース５１ｂとが上下に配置されて全体として略筒状に構成される。繰出し装置５０のケース５１には、目皿駆動軸５２、環状部材５３、目皿６０、および、下方部材５５が配置される。また、繰出し装置５０のケース５１には、目皿駆動軸５２、環状部材５３、および、目皿６０が、各々の軸心が一致するように配置される。
【００２８】
播種装置４０における繰出し装置５０の目皿駆動軸５２は、目皿６０を回転駆動させるものであり、軸心がやや上後下前に傾斜するようにケース５１内に配置される。繰出し装置５０の目皿駆動軸５２の上部には、ベベルギアが設けられる。そして、目皿駆動軸５２は、そのベベルギアに、上ケース５１ａの上部側方から上ケース５１ａ内に貫入された回転軸４３に設けられたベベルギアが噛合されて、回転軸４３の回転動力が目皿駆動軸５２に伝達可能に構成される。このようにして、目皿駆動軸５２は、回転軸４３が回転することにより、目皿駆動軸５２の軸心方向に対して周方向に回転するように構成される。回転軸４３は、前記複数台の播種装置４０の繰出し装置５０の上ケース５１ａ内に嵌挿されるように横設されて（図２参照）、ミッションケースに入力されたエンジン２からの動力が複数台の繰出し装置５０・５０・・・の各々に伝達するように構成される。
【００２９】
播種装置４０における繰出し装置５０の環状部材５３は、略環状に形成される部材であり、ケース５１（上ケース５１ａ）内に配置される。繰出し装置５０の環状部材５３は、その外周面に上ケース５１ａ内に形成される係合突起と係合可能な係合溝５３ａが形成されて構成される。繰出し装置５０の環状部材５３は、上ケース５１ａの係合突起にその係合溝５３ａを係合することにより上ケース５１ａに固定されて、上ケース５１ａ内で上下方向（環状部材５３の軸心方向）に移動、および、環状部材５３の周方向に回転しないように構成される。
【００３０】
播種装置４０における繰出し装置５０の目皿６０は、略円盤状の部材であり、環状部材５３と下方部材５５との間に配置される。繰出し装置５０の目皿６０は、目皿６０における上面の周縁部が環状部材５３の下面に当接するように環状部材５３の下方に配置される。繰出し装置５０の目皿６０は、中央孔６１と、目皿孔６２と、を有する。
【００３１】
繰出し装置５０における目皿６０の中央孔６１は、その中央部に、上面から下面に貫通するように形成され、目皿駆動軸５２の下端部が嵌挿可能に構成される。そして、繰出し装置５０の目皿６０は、目皿６０の中央孔６１に目皿駆動軸５２の下端部が嵌挿されて目皿駆動軸５２に固定されて、目皿駆動軸５２が回転すると目皿駆動軸５２と一体となって目皿６０の周方向に回転するように構成される。
【００３２】
繰出し装置５０における目皿６０の目皿孔６２は、種子ホッパ４１に収納される種子を繰出す際に、当該種子が一時的に溜められる部分である。目皿６０の目皿孔６２は、目皿６０の半径方向中途部に、目皿６０の上面から下面に貫通するように形成される。目皿６０の目皿孔６２は、互いの軸心を一致させるようにして環状部材５３の下方に目皿６０が配置された状態で、目皿孔６２の上方の開口が環状部材５３の内周面よりも内側（軸心側）に目皿６０の目皿孔６２が位置するように形成される。目皿６０の目皿孔６２は、複数個配置される。本実施形態では、４つの目皿孔６２・６２・・が目皿６０の軸心を中心にして周方向に均等に配置される。なお、目皿６０の目皿孔６２の数は限定されるものではない。
【００３３】
播種装置４０における繰出し装置５０の下方部材５５は、多角形に形成された平板状の部材であり、下方部材５５の上面が目皿６０の下面に当接するようにして目皿６０の下方に配置される。繰出し装置５０の下方部材５５は、目皿駆動軸５２および目皿６０の回転に追従して回転しないように、下ケース５１ｂ内に配置される。
【００３４】
繰出し装置５０の下方部材５５は、繰出し口５５ａと、中央孔５５ｂと、を有する。繰出し装置５０における下方部材５５の繰出し口５５ａは、前記目皿６０の目皿孔６２に溜まった種子が目皿孔６２から落下して繰出される部分である。下方部材５５の繰出し口５５ａは、下方部材５５における前方の部分が、下方部材５５の外周端から中央方向に向かって半径方向の中途部まで凹状に切欠かれるようにして形成される。下方部材５５の繰出し口５５ａは、互いの軸心を一致させるようにして目皿６０の下方に下方部材５５が配置された状態で、目皿６０が回転した際の目皿孔６２の回転軌跡よりも内側（中央側）まで切欠かれるようにして形成される。繰出し装置５０の下方部材５５の中央孔５５ｂは、下方部材５５の中央部に上面から下面に貫通するように形成される。
【００３５】
このように構成された播種装置４０の繰出し装置５０は、目皿６０が回転して目皿６０の目皿孔６２が後方に位置したときに、種子ホッパ４１から落下された種子が、目皿６０の目皿孔６２における上方の開口から供給されて目皿内に溜められていくように構成される。このとき、繰出し装置５０の目皿６０の目皿孔６２における下方の開口は、下方部材５５によって閉じられた状態となっている。そして、繰出し装置５０は、目皿６０が更に回転して下方部材５５の繰出し口５５ａの上方に目皿６０の目皿孔６２が位置する（前方に目皿孔６２が位置する）と、目皿６０の目皿孔６２と下方部材５５の繰出し口５５ａとが連通して、前記目皿６０の目皿孔６２に溜まった種子が、下方に落ちて下方部材５５の繰出し口５５ａから繰出されるように構成される。繰出し装置５０が斯かる動作を繰返すことにより、種子が所定量毎に繰出され、点播されることとなる。なお、播種装置４０は、上ケース５１ａ内に設けられる図示しない仕切り部材によって目皿６０の目皿孔６２内に入ることができなかった種子を堰止めるようにして、目皿６０が回転することによって目皿６０の目皿孔６２内に溜められた種子のみを下方部材５５の繰出し口５５ａまで搬送するような構成としている。
【００３６】
また、播種装置４０の繰出し装置５０は、目皿６０の目皿孔６２を目皿孔６２の軸心方向に伸縮させるようにして、目皿孔６２の容積を増減可能に構成される（図３または図５参照）。このように構成されることにより、繰出し装置５０では、目皿６０の目皿孔６２の容積を増減させて、目皿６０の目皿孔６２に溜められる種子（粒状物）の量を増減させることができ、繰出し装置５０によって繰出される繰出し単位毎の種子（粒状物）の量を増減させることができる。そして、このように構成されることにより、繰出し装置５０では、目皿６０の回転速度を増減させることなく、繰出し装置５０によって繰出される種子（粒状物）の量を増減させることができる。したがって、繰出し装置５０では、これによって繰出される種子（粒状物）の量を増減させても、種子（粒状物）を繰出す間隔（点播の間隔）にほとんど影響なく、（種子（粒状物）を繰出す間隔が所望のものよりも短くまたは長くなることを抑制して）、より確実に種子（粒状物）を所定量毎に繰出すること（点播すること）ができる。また、繰出し装置５０は、目皿駆動軸５２の回転速度が走行機体１の走行速度に同期（比例）して前記走行速度が速くなると目皿６０の回転速度も速くなるように構成されるが、前記構成とすることにより、繰出し装置５０に目皿駆動軸５２の回転速度を変速するための変速手段を設けることなく、繰出される繰出し単位の種子（粒状物）の量を増減させることができる。
【００３７】
以下において、播種装置４０における繰出し装置５０が目皿６０の目皿孔６２を目皿孔６２の軸心方向に伸縮させるようにして目皿孔６２の容積を増減可能な構成として、より具体的に説明する。播種装置４０における繰出し装置５０の目皿６０は、図３または図４に示すように、第一目皿７０、および、第二目皿８０で構成される。
【００３８】
播種装置４０における繰出し装置５０の第一目皿７０は、略円盤状の部材であり、第一目皿７０の軸心と第二目皿８０の軸心と一致させるようにして第二目皿８０の上方に配置される。繰出し装置５０の第一目皿７０は、第一目皿７０の上面の周縁部が環状部材５３の下面に当接するように環状部材５３の下方に配置される。繰出し装置５０の第一目皿７０は、凸部７３と、中央孔７１と、溝部７４と、第一貫通孔７２と、を有する。
【００３９】
繰出し装置５０における第一目皿７０の凸部７３は、第一目皿７０の上面の中央部に上方に突出するように形成される。繰出し装置５０における第一目皿７０の中央孔７１は、第一目皿７０の中央部（凸部７３の中央部）に、その上面から下面を貫通するように形成される。第一目皿７０の中央孔７１は、目皿駆動軸５２の下端部が嵌挿可能に構成される。そして、第一目皿７０は、第一目皿７０の中央孔７１に目皿駆動軸５２の下端部が嵌挿されて目皿駆動軸５２に固定されて、目皿駆動軸５２が回転すると目皿駆動軸５２と一体となって回転するように構成される。即ち、第一目皿７０の中央孔７１は、目皿６０の中央孔７１として構成される。繰出し装置５０における第一目皿７０の溝部７４は、環状の溝であり、第一目皿７０の下面の中央部（下面における凸部７３が形成される部分に相当する位置）に形成される。
【００４０】
繰出し装置５０における第一目皿７０の第一貫通孔７２は、第一目皿７０の半径方向中途部に、第一目皿７０の上面から下面を（第一目皿７０の軸心方向に）貫通するように形成される。第一目皿７０の第一貫通孔７２は、四角柱状に形成される。第一目皿７０の第一貫通孔７２は、互いの軸心を一致させるようにして環状部材５３の下方に第一目皿７０が配置された状態で、第一貫通孔７２の上方の開口が環状部材５３の内周面よりも内側（中央側）に位置するように形成される。第一目皿７０の第一貫通孔７２は、複数個配置される。本実施形態では、４つの第一貫通孔７２・７２・・が第一目皿７０の軸心を中心にして周方向に均等に配置される。
【００４１】
播種装置４０における繰出し装置５０の第二目皿８０は、略円盤状の部材であり、環状部材５３および第一目皿７０の軸心と一致させるようにして環状部材５３および第一目皿７０の下方に配置される。繰出し装置５０の第二目皿８０は、下方部材５５の上面が第二目皿８０の下面に当接するようにして下方部材５５の上方に配置される。繰出し装置５０の第二目皿８０および下方部材５５は、ケース５１内において第二目皿８０および下方部材５５が一体となってなって第一目皿７０と平行に保たれた状態で上下方向に移動可能に構成される。繰出し装置５０の第二目皿８０は、凸部８４と、中央孔８１と、突出部８３と、第二貫通孔８２と、を有する。
【００４２】
繰出し装置５０における第二目皿８０の凸部８４は、第二目皿８０の上面の中央部に上方に突出するように形成される。繰出し装置５０における第二目皿８０の中央孔８１は、第二目皿８０の中央部（凸部８４の中央部）に、その上面から下面を貫通するように形成される。第二目皿８０の中央孔８１は、目皿駆動軸５２の下端部が嵌挿可能に構成される。そして、第二目皿８０は、第二目皿８０の中央孔８１に目皿駆動軸５２の下端部が嵌挿された状態で、上下方向に移動可能に構成される。
【００４３】
繰出し装置５０における第二目皿８０の突出部８３は、第二目皿８０の半径方向中途部に、第二目皿８０の上面から上方（第二目皿８０の軸心方向）に突出するように形成される。第二目皿８０の突出部８３は、四角筒状に形成される。第二目皿８０の突出部８３は、軸心方向の長さ（突出方向の長さ）が第一目皿７０の第一貫通孔７２における軸心方向の長さ（第一目皿７０の肉厚）と略同一に構成される。第二目皿８０の突出部８３は、互いの軸心を一致させるようにして第一目皿７０の下方に第二目皿８０が配置された状態で、第一目皿７０の第一貫通孔７２の位置に相当する位置（第一目皿７０の第一貫通孔７２の下方）に、形成される。即ち、第二目皿８０の突出部８３は、互いの軸心を一致させるようにして環状部材５３の下方に第二目皿８０が配置された状態で、突出部８３の上方の開口が環状部材５３の内周面よりも内側（軸心側）に位置するように形成される。第二目皿８０の突出部８３は、第一目皿７０の第一貫通孔７２に、第一目皿７０の第一貫通孔７２にその下方から嵌挿可能に形成される。第二目皿８０の突出部８３は、第一目皿７０の第一貫通孔７２に嵌挿されたときに、第一目皿７０の第一貫通孔７２の内面と第二目皿８０の突出部８３の外面との間に種子が入り込まないように、互いに密接するように形成される。繰出し装置５０における第二目皿８０の突出部８３は、複数個配置される。本実施形態では、４つの突出部８３・８３・・が第二目皿８０の軸心を中心にして周方向に均等に配置される。
【００４４】
繰出し装置５０における第二目皿８０の第二貫通孔８２は、第二目皿８０の軸心方向に突出部８３を貫通するように形成される。第二目皿８０の第二貫通孔８２は、突出部８３の上面（突出部８３が突出する方向の面）から第二目皿の裏面の面（突出部８３が突出する方向と反対方向の裏）を貫通するように形成される。第二目皿８０の第二貫通孔８２は、四角柱状に形成される。第二目皿８０の第二貫通孔８２は、互いの軸心を一致させるようにして環状部材５３の下方に第二目皿８０が配置された状態で、第二貫通孔８２の上方の開口が環状部材５３の内周面よりも内側（軸心側）に位置するように形成される。また、第二目皿８０の第二貫通孔８２は、第一目皿７０の第一貫通孔７２の位置及び数を合わせて複数個配置される。本実施形態では、４つの第二貫通孔８２・８２・・が第二目皿８０の軸心を中心にして周方向に均等に配置される。
【００４５】
繰出し装置５０における第二目皿８０の各突出部８３は、第一目皿７０の各第一貫通孔７２に嵌挿される。そして、第二目皿８０は、前記第二目皿８０の突出部８３が第一目皿７０の貫通孔に嵌挿された状態で、前記目皿駆動軸５２が回転すると、目皿駆動軸５２および第一目皿７０と一体となって回転するように構成される。また、第二目皿８０は、前記第二目皿８０の突出部８３が（突出部８３の少なくとも一部が）第一目皿７０の貫通孔に嵌挿された状態で、第一目皿７０の第一貫通孔７２内を第二目皿８０の突出部８３が上下方向（第一目皿７０および第二目皿８０の軸心方向）に摺動（移動）しながら、上下方向に移動可能に構成される。
【００４６】
繰出し装置５０における第一目皿７０の第一貫通孔７２と、第二目皿８０の第二貫通孔８２と、で目皿６０の目皿孔６２が構成される。詳細には、繰出し装置５０における第二目皿８０の第二貫通孔８２と、第一目皿７０の第一貫通孔７２における第二目皿８０の突出部８３が嵌挿されていない部分（第一貫通孔７２の露出している部分）と、で目皿６０の目皿孔６２が構成される。
【００４７】
ここで、前記第二目皿８０の突出部８３が第一目皿７０の貫通孔に嵌挿されて第一目皿７０の下面に第二目皿８０の上面を当接させた状態（第一目皿７０と第二目皿８０との間隔がない状態）では、第二目皿８０の突出部８３が第一目皿７０の第一貫通孔７２全体に嵌挿されて、第一目皿７０の第一貫通孔７２は、第二目皿８０の突出部８３によって被覆された状態（露出していない状態）となる（図３参照）。斯かる状態から、前記第一目皿７０と第二目皿８０との間隔が広くなる方向に第二目皿８０を下方（第一目皿７０と反対側）に移動させて第二目皿８０の突出部８３を摺動させると、第一目皿７０の第一貫通孔７２に、第二目皿８０の突出部８３が嵌挿されていない部分（露出している部分）が生じてくる（図５参照）。
【００４８】
つまり、第二目皿８０を下方（第一目皿７０側と反対側）に移動させると、第一目皿７０の第一貫通孔７２における第二目皿８０の突出部８３が嵌挿されていない部分の容積が大きくなって（目皿６０の目皿孔６２における軸心方向の長さが長くなり）、目皿６０の目皿孔６２の容積が増加する（図５参照）。また、前記第一目皿７０と第二目皿８０との間隔が狭まる方向に第二目皿８０を上方（第一目皿７０側）に移動させると、第一目皿７０の第一貫通孔７２における第二目皿８０の突出部８３が嵌挿されていない部分の容積が小さくなって（目皿６０の目皿孔６２における軸心方向の長さが短くなり）、目皿６０の目皿孔６２の容積が減少する（図３参照）。
【００４９】
このようにして、繰出し装置５０は、第一目皿７０の各第一貫通孔７２に第二目皿８０の各突出部８３が嵌挿された状態で、第二目皿８０を上下方向（第一目皿７０および第一目皿７０の軸心方向）に移動させて第二目皿８０の突出部８３を第一目皿７０内で上下方向に摺動させることにより、第一目皿７０の第一貫通孔７２における第二目皿８０の突出部８３が嵌挿されていない部分の容積が大きくまたは小さくなるようにして、目皿６０の目皿孔６２を目皿孔６２の軸心方向（上下方向）に伸縮させるようにして目皿６０の目皿孔６２の容積を増減可能に構成される。即ち、繰出し装置５０は、第一目皿体と第二目皿体との間隔を変更するようにして、第一目皿７０の第一貫通孔７２と第二目皿８０の第二貫通孔８２とで構成される目皿６０の目皿孔６２の容積を増減可能に構成される。
【００５０】
このように構成されることにより、繰出し装置５０では、目皿６０の目皿孔６２の容積を増減させて、目皿６０の目皿孔６２に溜められる種子（粒状物）の量を増減させることができ、繰出し装置５０によって繰出される繰出し単位毎の種子（粒状物）の量を増減させることができる。そして、このように構成されることにより、繰出し装置５０では、目皿６０の回転速度を増減させることなく、繰出し装置５０によって繰出される種子（粒状物）の量を増減させることができる。したがって、繰出し装置５０では、これによって繰出される種子（粒状物）の量を増減させても、種子（粒状物）を繰出す間隔にほとんど影響なく（種子（粒状物）を繰出す間隔が所望のものよりも短くまたは長くなることを抑制して）、より確実に種子（粒状物）を所定量毎に繰出すことができる。
【００５１】
また、播種装置４０の繰出し装置５０は、図３または図４に示すように、弾性部材５６と、押え部材５７と、押え部材軸５８と、を備える。
【００５２】
播種装置４０における繰出し装置５０の弾性部材５６は、コイル状のバネで構成される。
繰出し装置５０の弾性部材５６は、その上端を第一目皿７０の溝部７４の上面に当接させ、その下端を第二目皿８０の凸部８４に嵌挿させて凸部８４近傍の上面に当接させるようにして、第一目皿７０と第二目皿８０との間に配置される（図３参照）。繰出し装置５０の弾性部材５６は、このように配置された状態で、第二目皿８０および下方部材５５を下方に付勢する。
【００５３】
播種装置４０における繰出し装置５０の押え部材５７は、下方部材５５を下方から押えて下方部材５５（および第二目皿８０）を上方に付勢する部材である。繰出し装置５０の押え部材５７は、先端部５７ａが二股に分かれるようにして平面視略Ｙ字状に形成されて構成される。繰出し装置５０の押え部材５７は、先端部５７ａが前方を向くとともに、基端部５７ｂが後方を向くようにして下方部材５５の下方に配置される。繰出し装置５０の押え部材５７は、先端部５７ａが、下方部材５５の繰出し口５５ａに至らないように下方部材５５の繰出し口５５ａよりも後方に位置するように配置される。繰出し装置５０の押え部材５７は、その基端部５７ｂが押え部材軸５８に固定して取付けられて、押え部材軸５８が回転することによって、上下方向に回動可能に構成される。
【００５４】
播種装置４０における繰出し装置５０の押え部材軸５８は、押え部材軸５８の軸心方向に対して周方向に回転することによって押え部材５７を上下方向に回動させるものである。繰出し装置５０の押え部材軸５８は、押え部材軸５８が回転して押え部材５７を上方に回動させたときに、弾性部材５６の付勢力に抗じて、下方部材５５および目皿６０の第二目皿８０を上方に移動可能に構成される。繰出し装置５０の押え部材軸５８は、目皿駆動軸５２の軸心方向に対して直交するように下ケース５１ｂの後部に横設される。繰出し装置５０の押え部材軸５８は、一部が下ケース５１ｂの側方から下ケース５１ｂ外に突出するように配置される。繰出し装置５０の押え部材軸５８は、所定のアクチュエータまたは手動によって、任意の回転位置まで回転可能に構成されるとともに、当該回転位置で固定可能に構成される。例えば、前記押え部材５７の下ケース５１ｂから突出した部分に、押え部材軸５８を所定の回転位置まで回転させまたは当該回転位置で固定するためのモータを設けてもよい。なお、前記押え部材軸５８の回転位置の固定は、固定ピンまたは固定ネジ等を用いて任意の回転位置でこれを固定してもよい。
【００５５】
このように構成された繰出し装置５０では、押え部材軸５８を回転させて押え部材５７を上方に回動させて、第二目皿８０を上方に移動させて第二目皿８０の突出部８３を第一目皿７０内で上方に摺動させる。また、繰出し装置５０では、押え部材軸５８を回転させて押え部材５７を下方に回動させると、弾性部材５６の付勢力により、第二目皿８０が下方に移動して第二目皿８０の突出部８３が第一目皿７０内で下方に摺動することとなる（図３または図５参照）。このようにして繰出し装置５０では、弾性部材５６、押え部材５７、および、押え部材軸５８によって、第二目皿８０および下方部材５５を上下方向に移動させて第二目皿８０の突出部８３を第一目皿７０内で上下方向に摺動させる。したがって、繰出し装置５０によれば、目皿６０の目皿孔６２の容積を増減させる際に、前記第二目皿８０および下方部材５５の上下方向への移動（第二目皿８０の突出部８３の上下方向への摺動）の操作をより容易におこなうことができる。
【００５６】
なお、繰出し装置５０では、第一目皿７０の第一貫通孔７２が四角柱状に形成され、第二目皿８０の突出部８３が四角筒状に形成され、第二目皿８０の第二貫通孔８２が四角柱状に形成されて、目皿６０の目皿孔６２が四角柱状に形成されるが、目皿６０の目皿孔６２の形状はこれに限定するものではなく、例えば、円柱状またはその他の他角柱状に形成してもよい。
【００５７】
また、播種装置４０の繰出し装置５０は、図６に示すように、複数台の繰出し装置５０・５０・・・のうち隣合う繰出し装置５０・５０の押え部材軸５８・５８同士を連結するようにして一体的に構成してもよい。このように構成することにより、前記一体的に構成された押え部材軸５８を回転させることによって複数台の繰出し装置５０・５０・・・の押え部材５７・５７・・・を同時に回動させ、複数台の繰出し装置５０・５０・・・の第二目皿８０・８０・・・および下方部材５５・５５・・・の上下方向への移動（第二目皿８０・８０・・・の突出部８３・８３・・・の上下方向への摺動）の操作を同時におこなうことができる。したがって、播種装置４０の繰出し装置５０によれば、複数個の目皿６０・６０・・・の目皿孔６２・６２・・・の容積を増減させる操作を同時におこなうことができ、目皿６０・６０・・・の目皿孔６２・６２・・・の容積を増減させる操作が容易となる。
【００５８】
次に、播種装置４０における繰出し装置５０によって繰出される繰出し単位毎の種子（粒状物）の量を調節可能とする構成について、図７および図８を用いて説明する。
【００５９】
播種装置４０における繰出し装置５０は、図７または図８に示すように、繰出し装置５０によって繰出される繰出し単位毎の種子（粒状物）の量を調節可能とする調節手段６４を備える。繰出し装置５０の調節手段６４は、調節レバー６５と回動支持軸６６とを備え、目皿６０の上方側の下方に配置される。調節手段６４の調節レバー６５は、その一端に規制板部６５ａが形成され、その他端に把手部６５ｂが形成される。調節レバー６５の中途部は、回動支持軸６６に回転可能に支持される。回動支持軸６６は下ケース５１ｂより外方向に突出して形成した凸部５１ｃに目皿駆動軸５２と平行に取付けられる。
【００６０】
調節手段６４における調節レバー６５の規制板部６５ａは、目皿６０の目皿孔６２下方であって下方部材５５の繰出し口５５ａ内に配置される。調節レバー６５の規制板部６５ａは、略半円状に形成され、目皿６０の目皿孔６２を完全に閉じることができる大きさとしている。調節レバー６５の把手部６５ｂは、ケース５１の外側に配置される。調節レバー６５の把手部６５ｂは、任意の回動位置で保持できる構成とする。作業者が調節レバー６５の把手部６５ｂを持って調節レバー６５を回動させることにより、調節レバー６５の規制板部６５ａを回動させることができる。このようにして、調節手段６４は、回動支持軸６６を中心に調節レバー６５を回動させて、目皿６０の目皿孔６２と調節レバー６５の規制板部６５ａとの重複面積を変更可能に構成される。そして、調節手段６４では、このように調節レバー６５を回動させた際に、目皿６０の目皿孔６２と調節レバー６５の規制板部６５ａとの重複面積が大きくなるほど目皿６０の目皿孔６２からの種子（粒状物）の落下量を減少させることとなり、目皿６０の目皿孔６２と規制板部６５ａとの重複面積が小さくなるほど種子（粒状物）の落下量を増加させることとなる。以上のようにして、調節手段６４は、繰出し装置５０によって繰出される繰出し位毎の種子（粒状物）の量を調節可能に構成される。
【００６１】
このように調節手段６４を備えて構成されることにより、繰出し装置５０では、目皿６０の回転速度を増減させることなく、繰出し装置５０によって繰出される繰出し単位毎の種子（粒状物）の量を増減させることができる。したがって、繰出し装置５０では、これによって繰出される繰出し単位毎の種子（粒状物）の量を増減させても、種子（粒状物）を繰出す間隔にほとんど影響なく（種子（粒状物）を繰出す間隔が所望のものよりも短くまたは長くなることを抑制して）、より確実に種子（粒状物）を所定量毎に繰出すことができる。
【００６２】
なお、複数台の繰出し装置５０・５０・・・における調節手段６４・６４・・・の調節レバー６５・６５・・の把手部６５ｂ・６５ｂ・・・をリンク等で連結することにより、当該複数台の繰出し装置５０・５０・・・によって繰出される繰出し単位毎の種子の量を一度に調節可能に構成することもできる。
【符号の説明】
【００６３】
１      走行機体
４０    湛水直播機
４１    種子ホッパ
５５    下方部材
５５ａ  繰出し口
６０    目皿
６２    目皿孔
【図１】
0005792538.tif 000002
【図２】
0005792538.tif 000003
【図３】
0005792538.tif 000004
【図４】
0005792538.tif 000005
【図５】
0005792538.tif 000006
【図６】
0005792538.tif 000007
【図７】
0005792538.tif 000008
【図８】
0005792538.tif 000009